(57)【要約】  本開示は、受信方法、送信方法、端末及びネットワーク機器を開示する。該受信方法は、端末に用いられる方法であって、ＣＯＲＥＳＥＴに対応する探索空間で物理下り制御チャネルＰＤＣＣＨを受信することを含み、異なる時間に対応する前記ＣＯＲＥＳＥＴの周波数領域における位置が異なり、又は、異なる時間に対応するＣＯＲＥＳＥＴのうち、探索空間の周波数領域における位置が異なり、又は、前記ＣＯＲＥＳＥＴの少なくとも２つの探索空間の周波数領域における位置が異なる。
2022501969.tif 000002
【特許請求の範囲】
【請求項１】
端末に用いられる受信方法であって、
制御リソースセットＣＯＲＥＳＥＴに対応する探索空間で物理下り制御チャネルＰＤＣＣＨを受信することを含み、
異なる時間に対応する前記ＣＯＲＥＳＥＴの周波数領域における位置が異なり、又は、異なる時間に対応するＣＯＲＥＳＥＴのうち、探索空間の周波数領域における位置が異なり、又は、前記ＣＯＲＥＳＥＴの少なくとも２つの探索空間の周波数領域における位置が異なる、受信方法。
【請求項２】
異なる時間に対応する前記ＣＯＲＥＳＥＴの周波数領域における位置が異なる場合、異なる時間に対応するＣＯＲＥＳＥＴが占有する周波数領域リソースは、異なるチャネル検出サブバンドに分布し、
又は、
異なる時間に対応するＣＯＲＥＳＥＴのうち、探索空間の周波数領域における位置が異なる場合、異なる時間に対応するＣＯＲＥＳＥＴのうち、探索空間が占有する周波数領域リソースは、異なるチャネル検出サブバンドに分布し、
又は、前記ＣＯＲＥＳＥＴの少なくとも２つの探索空間の周波数領域における位置が異なる場合、前記少なくとも２つの探索空間が占有する周波数領域リソースは、異なるチャネル検出サブバンドに分布する、請求項１に記載の受信方法。
【請求項３】
前記ＣＯＲＥＳＥＴが少なくとも２つの探索空間を含む場合、前記少なくとも２つの探索空間の周波数領域初期オフセットは、同一又は異なる、請求項１又は２に記載の受信方法。
【請求項４】
異なる時間ユニットに対応する前記ＣＯＲＥＳＥＴのうち、前記少なくとも２つの探索空間の周波数領域オフセット幅は、同一又は異なる、請求項３に記載の受信方法。
【請求項５】
前記ＣＯＲＥＳＥＴのリソースエレメントグループＲＥＧのバンドルサイズは、６よりも大きい、請求項１に記載の受信方法。
【請求項６】
前記ＣＯＲＥＳＥＴのリソースエレメントグループＲＥＧのバンドルサイズは、前記ＰＤＣＣＨの全ての探索空間に対応する全ての集約レベルの値のうちの最大値である第１値と、１つの制御チャネルエレメントＣＣＥに含まれるリソースエレメントグループＲＥＧの数である第２値との積である、請求項５に記載の受信方法。
【請求項７】
ネットワーク側機器に用いられる送信方法であって、
制御リソースセットＣＯＲＥＳＥＴに対応する探索空間で物理下り制御チャネルＰＤＣＣＨを送信することを含み、
異なる時間に対応する前記ＣＯＲＥＳＥＴの周波数領域における位置が異なり、又は、異なる時間に対応するＣＯＲＥＳＥＴのうち、探索空間の周波数領域における位置が異なり、又は、前記ＣＯＲＥＳＥＴの少なくとも２つの探索空間の周波数領域における位置が異なる、送信方法。
【請求項８】
異なる時間に対応する前記ＣＯＲＥＳＥＴの周波数領域における位置が異なる場合、異なる時間に対応するＣＯＲＥＳＥＴが占有する周波数領域リソースは、異なるチャネル検出サブバンドに分布し、
又は、
異なる時間に対応するＣＯＲＥＳＥＴのうち、探索空間の周波数領域における位置が異なる場合、異なる時間に対応するＣＯＲＥＳＥＴのうち、探索空間が占有する周波数領域リソースは、異なるチャネル検出サブバンドに分布し、
又は、
前記ＣＯＲＥＳＥＴの少なくとも２つの探索空間の周波数領域における位置が異なる場合、前記少なくとも２つの探索空間が占有する周波数領域リソースは、異なるチャネル検出サブバンドに分布する、請求項７に記載の送信方法。
【請求項９】
前記ＣＯＲＥＳＥＴが少なくとも２つの探索空間を含む場合、前記少なくとも２つの探索空間の周波数領域初期オフセットは、同一又は異なる、請求項７又は８に記載の送信方法。
【請求項１０】
異なる時間ユニットに対応する前記ＣＯＲＥＳＥＴのうち、前記少なくとも２つの探索空間の周波数領域オフセット幅は、同一又は異なる、請求項９に記載の送信方法。
【請求項１１】
前記ＣＯＲＥＳＥＴのリソースエレメントグループＲＥＧのバンドルサイズは、６よりも大きい、請求項７に記載の送信方法。
【請求項１２】
前記ＣＯＲＥＳＥＴのリソースエレメントグループＲＥＧのバンドルサイズは、前記ＰＤＣＣＨの全ての探索空間に対応する全ての集約レベルの値のうちの最大値である第１値と、１つの制御チャネルエレメントＣＣＥに含まれるリソースエレメントグループＲＥＧの数である第２値との積である、請求項１１に記載の送信方法。
【請求項１３】
ネットワーク側機器に用いられる送信方法であって、
制御リソースセットＣＯＲＥＳＥＴに対応する探索空間で物理下り制御チャネルＰＤＣＣＨを送信することを含み、
前記ＣＯＲＥＳＥＴのリソースエレメントグループＲＥＧのバンドルサイズが６よりも大きい、送信方法。
【請求項１４】
前記ＣＯＲＥＳＥＴのリソースエレメントグループＲＥＧのバンドルサイズは、前記ＰＤＣＣＨの全ての探索空間に対応する全ての集約レベルの値のうちの最大値である第１値と、１つの制御チャネルエレメントＣＣＥに含まれるリソースエレメントグループＲＥＧの数である第２値との積である、請求項１３に記載の送信方法。
【請求項１５】
端末に用いられる受信方法であって、
制御リソースセットＣＯＲＥＳＥＴに対応する探索空間で物理下り制御チャネルＰＤＣＣＨを受信することを含み、
前記ＣＯＲＥＳＥＴのリソースエレメントグループＲＥＧのバンドルサイズが６よりも大きい、受信方法。
【請求項１６】
前記ＣＯＲＥＳＥＴのリソースエレメントグループＲＥＧのバンドルサイズは、前記ＰＤＣＣＨの全ての探索空間に対応する全ての集約レベルの値のうちの最大値である第１値と、１つの制御チャネルエレメントＣＣＥに含まれるリソースエレメントグループＲＥＧの数である第２値との積である、請求項１５に記載の受信方法。
【請求項１７】
ＣＯＲＥＳＥＴに対応する探索空間で物理下り制御チャネルＰＤＣＣＨを受信する受信モジュールを含み、
異なる時間に対応する前記ＣＯＲＥＳＥＴの周波数領域における位置が異なり、又は、異なる時間に対応するＣＯＲＥＳＥＴのうち、探索空間の周波数領域における位置が異なり、又は、前記ＣＯＲＥＳＥＴの少なくとも２つの探索空間の周波数領域における位置が異なる、端末。
【請求項１８】
異なる時間に対応する前記ＣＯＲＥＳＥＴの周波数領域における位置が異なる場合、異なる時間に対応するＣＯＲＥＳＥＴが占有する周波数領域リソースは、異なるチャネル検出サブバンドに分布し、
又は、
異なる時間に対応するＣＯＲＥＳＥＴのうち、探索空間の周波数領域における位置が異なる場合、異なる時間に対応するＣＯＲＥＳＥＴのうち、探索空間が占有する周波数領域リソースは、異なるチャネル検出サブバンドに分布し、
又は、前記ＣＯＲＥＳＥＴの少なくとも２つの探索空間の周波数領域における位置が異なる場合、前記少なくとも２つの探索空間が占有する周波数領域リソースは、異なるチャネル検出サブバンドに分布する、請求項１７に記載の端末。
【請求項１９】
前記ＣＯＲＥＳＥＴが少なくとも２つの探索空間を含む場合、前記少なくとも２つの探索空間の周波数領域初期オフセットは、同一又は異なる、請求項１７又は１８に記載の端末。
【請求項２０】
異なる時間ユニットに対応する前記ＣＯＲＥＳＥＴのうち、前記少なくとも２つの探索空間の周波数領域オフセット幅は、同一又は異なる、請求項１９に記載の端末。
【請求項２１】
前記ＣＯＲＥＳＥＴのリソースエレメントグループＲＥＧのバンドルサイズは、６よりも大きい、請求項１７に記載の端末。
【請求項２２】
前記ＣＯＲＥＳＥＴのリソースエレメントグループＲＥＧのバンドルサイズは、前記ＰＤＣＣＨの全ての探索空間に対応する全ての集約レベルの値のうちの最大値である第１値と、１つの制御チャネルエレメントＣＣＥに含まれるリソースエレメントグループＲＥＧの数である第２値との積である、請求項２１に記載の端末。
【請求項２３】
ＣＯＲＥＳＥＴに対応する探索空間で物理下り制御チャネルＰＤＣＣＨを送信する送信モジュールを含み、
異なる時間に対応する前記ＣＯＲＥＳＥＴの周波数領域における位置が異なり、又は、異なる時間に対応するＣＯＲＥＳＥＴのうち、探索空間の周波数領域における位置が異なり、又は、前記ＣＯＲＥＳＥＴの少なくとも２つの探索空間の周波数領域における位置が異なる、ネットワーク側機器。
【請求項２４】
異なる時間に対応する前記ＣＯＲＥＳＥＴの周波数領域における位置が異なる場合、異なる時間に対応するＣＯＲＥＳＥＴが占有する周波数領域リソースは、異なるチャネル検出サブバンドに分布し、
又は、
異なる時間に対応するＣＯＲＥＳＥＴのうち、探索空間の周波数領域における位置が異なる場合、異なる時間に対応するＣＯＲＥＳＥＴのうち、探索空間が占有する周波数領域リソースは、異なるチャネル検出サブバンドに分布し、
又は、前記ＣＯＲＥＳＥＴの少なくとも２つの探索空間の周波数領域における位置が異なる場合、前記少なくとも２つの探索空間が占有する周波数領域リソースは、異なるチャネル検出サブバンドに分布する、請求項２３に記載のネットワーク側機器。
【請求項２５】
前記ＣＯＲＥＳＥＴが少なくとも２つの探索空間を含む場合、前記少なくとも２つの探索空間の周波数領域初期オフセットは、同一又は異なる、請求項２３又は２４に記載のネットワーク側機器。
【請求項２６】
異なる時間ユニットに対応する前記ＣＯＲＥＳＥＴのうち、前記少なくとも２つの探索空間の周波数領域オフセット幅は、同一又は異なる、請求項２５に記載のネットワーク側機器。
【請求項２７】
前記ＣＯＲＥＳＥＴのリソースエレメントグループＲＥＧのバンドルサイズは、６よりも大きい、請求項２３に記載のネットワーク側機器。
【請求項２８】
前記ＣＯＲＥＳＥＴのリソースエレメントグループＲＥＧのバンドルサイズは、前記ＰＤＣＣＨの全ての探索空間に対応する全ての集約レベルの値のうちの最大値である第１値と、１つの制御チャネルエレメントＣＣＥに含まれるリソースエレメントグループＲＥＧの数である第２値との積である、請求項２７に記載のネットワーク側機器。
【請求項２９】
ネットワーク側機器であって、
ＣＯＲＥＳＥＴに対応する探索空間で物理下り制御チャネルＰＤＣＣＨを送信する送信モジュールを含み、
前記ＣＯＲＥＳＥＴのリソースエレメントグループＲＥＧのバンドルサイズが６よりも大きい、ネットワーク側機器。
【請求項３０】
前記ＣＯＲＥＳＥＴのリソースエレメントグループＲＥＧのバンドルサイズは、前記ＰＤＣＣＨの全ての探索空間に対応する全ての集約レベルの値のうちの最大値である第１値と、１つの制御チャネルエレメントＣＣＥに含まれるリソースエレメントグループＲＥＧの数である第２値との積である、請求項２９に記載のネットワーク側機器。
【請求項３１】
端末であって、
ＣＯＲＥＳＥＴに対応する探索空間で物理下り制御チャネルＰＤＣＣＨを受信する受信モジュールを含み、
前記ＣＯＲＥＳＥＴのリソースエレメントグループＲＥＧのバンドルサイズが６よりも大きい、端末。
【請求項３２】
前記ＣＯＲＥＳＥＴのリソースエレメントグループＲＥＧのバンドルサイズは、前記ＰＤＣＣＨの全ての探索空間に対応する全ての集約レベルの値のうちの最大値である第１値と、１つの制御チャネルエレメントＣＣＥに含まれるリソースエレメントグループＲＥＧの数である第２値との積である、請求項３１に記載の端末。
【請求項３３】
メモリと、プロセッサと、メモリに格納されてプロセッサで実行可能なコンピュータプログラムとを含む端末であって、
前記プロセッサが前記コンピュータプログラムを実行すると、請求項１〜６のいずれか１項に記載の受信方法のステップが実現され、又は、請求項１５〜１６のいずれか１項に記載の受信方法のステップが実現される、端末。
【請求項３４】
メモリと、プロセッサと、前記メモリに格納されて前記プロセッサで実行可能なコンピュータプログラムとを含むネットワーク側機器であって、
前記コンピュータプログラムが前記プロセッサによって実行されると、請求項７〜１２のいずれか１項に記載の送信方法のステップが実現され、又は、請求項１３〜１４のいずれか１項に記載の送信方法のステップが実現される、ネットワーク側機器。
【請求項３５】
コンピュータプログラムが格納されているコンピュータ読み取り可能な記憶媒体であって、
前記コンピュータプログラムがプロセッサによって実行されると、請求項１〜６のいずれか１項に記載の受信方法のステップが実現され、又は、請求項１５〜１６のいずれか１項に記載の受信方法のステップが実現され、又は、請求項７〜１２のいずれか１項に記載の送信方法のステップが実現され、又は、請求項１３〜１４のいずれか１項に記載の送信方法のステップが実現される、コンピュータ読み取り可能な記憶媒体。
【発明の詳細な説明】
【技術分野】
【０００１】
（関連出願の相互参照）
本願は、２０１８年９月３０日に中国特許庁に提出された中国特許出願２０１８１１１６３０２３．９の優先権を主張し、その全ての内容が援用によりここに取り込まれる。
本開示は、制御チャネルの伝送に係り、特に受信方法、送信方法、端末及びネットワーク側機器に係る。
【背景技術】
【０００２】
ＮＲ（Ｎｅｗ  Ｒａｄｉｏ）通信システムは、グラントフリースペクトルアクセスをサポートする。グラントフリースペクトルの基本概念として、送信側は、送信動作が必要となる場合、伝送リソースが他の使用者によって占有されているか否かを傍受する必要があることである。占有された場合、利用可能な伝送リソースが見つかるまで待機する必要がある。このようなＬＢＴ（Ｌｉｓｔｅｎ−ｂｅｆｏｒｅ−ｔａｌｋ）の方法によって、グラントフリースペクトルを効果的に利用することができる。
【０００３】
制御リソースセットＣＯＲＥＳＥＴ（Ｃｏｎｔｒｏｌ  Ｒｅｓｏｕｒｃｅ  Ｓｅｔ）は、ＮＲ通信システムにおいて新たに導入された時間周波数リソースセットである。システムは、対応するＣＯＲＥＳＥＴにおいて物理下り制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）の送信及び検出を行う必要がある。
【０００４】
しかしながら、従来技術では、ＣＯＲＥＳＥＴの周波数領域位置は、異なる時間において常に一定である。場合によっては、これは、ＰＤＣＣＨが即時に送信されないことにつながり、端末がＰＤＣＣＨを即時に受信することができなくなる。
【発明の概要】
【発明が解決しようとする課題】
【０００５】
本開示の実施例は、ＣＯＲＥＳＥＴの周波数領域位置が一定であることからＰＤＣＣＨ送信が即時にできないという従来技術の問題を解決するために、受信方法、送信方法、端末及びネットワーク側機器を提供することを目的とする。
【課題を解決するための手段】
【０００６】
第１態様として、本開示の実施例は、端末に用いられる受信方法を提供し、制御リソースセットＣＯＲＥＳＥＴに対応する探索空間で物理下り制御チャネルＰＤＣＣＨを受信することを含み、異なる時間に対応する前記ＣＯＲＥＳＥＴの周波数領域における位置が異なり、又は、異なる時間に対応するＣＯＲＥＳＥＴのうち、探索空間の周波数領域における位置が異なり、又は、前記ＣＯＲＥＳＥＴの少なくとも２つの探索空間の周波数領域における位置が異なる。
【０００７】
第２態様として、本開示の実施例は、ネットワーク側機器に用いられる送信方法を提供し、制御リソースセットＣＯＲＥＳＥＴに対応する探索空間で物理下り制御チャネルＰＤＣＣＨを送信することを含み、異なる時間に対応する前記ＣＯＲＥＳＥＴの周波数領域における位置が異なり、又は、異なる時間に対応するＣＯＲＥＳＥＴのうち、探索空間の周波数領域における位置が異なり、又は、前記ＣＯＲＥＳＥＴの少なくとも２つの探索空間の周波数領域における位置が異なる。
【０００８】
第３態様として、本開示の実施例は、送信方法を更に提供し、制御リソースセットＣＯＲＥＳＥＴに対応する探索空間で物理下り制御チャネルＰＤＣＣＨを送信することを含み、前記ＣＯＲＥＳＥＴのリソースエレメントグループＲＥＧのバンドルサイズが６よりも大きい。
【０００９】
第４態様として、本開示の実施例は、受信方法を更に提供し、制御リソースセットＣＯＲＥＳＥＴに対応する探索空間で物理下り制御チャネルＰＤＣＣＨを受信することを含み、前記ＣＯＲＥＳＥＴのリソースエレメントグループＲＥＧのバンドルサイズが６よりも大きい。
【００１０】
第５態様として、本開示の実施例は、端末を更に提供し、ＣＯＲＥＳＥＴに対応する探索空間で物理下り制御チャネルＰＤＣＣＨを受信する受信モジュールを含み、異なる時間に対応する前記ＣＯＲＥＳＥＴの周波数領域における位置が異なり、又は、異なる時間に対応するＣＯＲＥＳＥＴのうち、探索空間の周波数領域における位置が異なり、又は、前記ＣＯＲＥＳＥＴの少なくとも２つの探索空間の周波数領域における位置が異なる。
【００１１】
第６態様として、本開示の実施例は、ネットワーク側機器を更に提供し、ＣＯＲＥＳＥＴに対応する探索空間で物理下り制御チャネルＰＤＣＣＨを送信する送信モジュールを含み、異なる時間に対応する前記ＣＯＲＥＳＥＴの周波数領域における位置が異なり、又は、異なる時間に対応するＣＯＲＥＳＥＴのうち、探索空間の周波数領域における位置が異なり、又は、前記ＣＯＲＥＳＥＴの少なくとも２つの探索空間の周波数領域における位置が異なる。
【００１２】
第７態様として、本開示の実施例は、ネットワーク側機器を更に提供し、ＣＯＲＥＳＥＴに対応する探索空間で物理下り制御チャネルＰＤＣＣＨを送信する送信モジュールを含み、前記ＣＯＲＥＳＥＴのリソースエレメントグループＲＥＧのバンドルサイズが６よりも大きい。
【００１３】
第８態様として、本開示の実施例は、端末を更に提供し、ＣＯＲＥＳＥＴに対応する探索空間で物理下り制御チャネルＰＤＣＣＨを受信する受信モジュールを含み、前記ＣＯＲＥＳＥＴのリソースエレメントグループＲＥＧのバンドルサイズが６よりも大きい。
【００１４】
第９態様として、本開示の実施例は、プロセッサと、メモリと、前記メモリに格納されて前記プロセッサで実行可能なコンピュータプログラムとを含む端末を更に提供し、前記コンピュータプログラムが前記プロセッサによって実行されると、上記受信方法のステップが実現される。
【００１５】
第１０態様として、本開示の実施例は、プロセッサと、メモリと、前記メモリに格納されて前記プロセッサで実行可能なコンピュータプログラムとを含むネットワーク側機器を更に提供し、前記コンピュータプログラムが前記プロセッサによって実行されると、上記送信方法のステップが実現される。
【００１６】
第１１態様として、本開示の実施例は、コンピュータプログラムが格納されているコンピュータ読み取り可能な記憶媒体を更に提供し、前記コンピュータプログラムがプロセッサによって実行されると、上記送信方法又は受信方法のステップが実現される。
【発明の効果】
【００１７】
本開示の具体的な実施例において、ネットワーク側機器は、ＣＯＲＥＳＥＴに対応する探索空間で物理下り制御チャネルＰＤＣＣＨを送信する際に、異なる時間に対応するＣＯＲＥＳＥＴ、探索空間又は同一時間のＣＯＲＥＳＥＴ内の探索空間に対して周波数領域でのオフセット処理を多種類の方式で行うことによって、ＰＤＣＣＨ送信の即時性を高めることができる。
【図面の簡単な説明】
【００１８】
【図１】本開示の実施例の応用可能なネットワークシステムの構造図である。
【図２】本開示の実施例に係る送信方法のフローチャートである。
【図３】本開示の具体的な実施例において、異なる時間に対応するＣＯＲＥＳＥＴの周波数領域における位置が異なる概略図である。
【図４】本開示の具体的な実施例において、異なる時間に対応するＣＯＲＥＳＥＴの周波数領域における位置が異なる別の概略図である。
【図５】本開示の具体的な実施例において、異なる時間に対応するＣＯＲＥＳＥＴの周波数領域における位置が異なる更に別の概略図である。
【図６】本開示の具体的な実施例において、異なる時間に対応するＣＯＲＥＳＥＴのうち、探索空間の周波数領域における位置が異なる概略図である。
【図７】本開示の具体的な実施例において、異なる時間に対応するＣＯＲＥＳＥＴのうち、探索空間の周波数領域における位置が異なる別の概略図である。
【図８】本開示の具体的な実施例において、異なる時間に対応するＣＯＲＥＳＥＴのうち、探索空間の周波数領域における位置が異なる更に別の概略図である。
【図９】本開示の具体的な実施例において、ＣＯＲＥＳＥＴの少なくとも２つの探索空間の周波数領域における位置が異なる概略図である。
【図１０】本開示の具体的な実施例において、ＣＯＲＥＳＥＴの少なくとも２つの探索空間の周波数領域における位置が異なる別の概略図である。
【図１１】本開示の具体的な実施例において、ＣＯＲＥＳＥＴの少なくとも２つの探索空間の周波数領域における位置が異なる更に別の概略図である。
【図１２】本開示の具体的な実施例において、Ｔｉ及びｏｆｆｓｅｔｉがいずれも同じである場合、ＣＯＲＥＳＥＴの少なくとも２つの探索空間の周波数領域における位置が異なる概略図である。
【図１３】本開示の具体的な実施例において、Ｔｉが異なり、ｏｆｆｓｅｔｉが同じである場合、ＣＯＲＥＳＥＴの少なくとも２つの探索空間の周波数領域における位置が異なる４種類の概略図である。
【図１４】本開示の具体的な実施例において、Ｔｉが同じであり、ｏｆｆｓｅｔｉが異なる場合、ＣＯＲＥＳＥＴの少なくとも２つの探索空間の周波数領域における位置が異なる概略図である。
【図１５】本開示の具体的な実施例において、Ｔｉ及びｏｆｆｓｅｔｉがいずれも異なる場合、ＣＯＲＥＳＥＴの少なくとも２つの探索空間の周波数領域における位置が異なる概略図である。
【図１６】本開示の具体的な実施例において、ある周波数帯域でＰＤＣＣＨの伝送ができない場合、ＣＯＲＥＳＥＴ／探索空間のマッピング可能な位置の概略図である。
【図１７】本開示の実施例に係る受信方法のフローチャートである。
【図１８】本開示の実施例に係る別の送信方法のフローチャートである。
【図１９】本開示の実施例に係る別の受信方法のフローチャートである。
【図２０】本開示の実施例に係る端末の構造図その１である。
【図２１】本開示の実施例に係る端末の構造図その２である。
【図２２】本開示の実施例に係るネットワーク側機器の構造図その１である。
【図２３】本開示の実施例に係るネットワーク側機器の構造図その２である。
【図２４】本開示の実施例に係る端末の構造図その３である。
【図２５】本開示の実施例に係るネットワーク側機器の構造図その３である。
【発明を実施するための形態】
【００１９】
以下、本開示の実施例の図面を参照しながら、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、本開示の保護範囲に属するものである。
【００２０】
本願における「第１」、「第２」などの用語は、特定の順序又は前後順を記述するために使用されるのではなく、類似の対象を区別するために使用される。また、「含む」及び「有する」という用語ならびにそれらの任意の変形は、非排他的を意図する。例えば、一連の工程又はユニットを含むプロセス、方法、システム、製品又は装置は、必ずしも明確に列挙されたそれらの工程又はユニットに限定されるものではなく、明確に列挙されていないものや、それらのプロセス、方法、製品又は装置に固有の他の工程又はユニットを含んでもよい。また、本願に使用される「及び／又は」は、連結された対象の少なくとも１つを意味する。例えば、Ａ及び／又はＢ及び／又はＣは、Ａのみ、Ｂのみ、Ｃのみ、ＡとＢの両方が存在すること、ＢとＣの両方が存在すること、ＡとＣの両方が存在すること、及び、ＡとＢとＣが全て存在することの７種類のケースを含むことを示す。
【００２１】
図１を参照する。図１は、本開示の実施例の応用可能なネットワークシステムの構造図であり、図１に示すように、端末１１とネットワーク側機器１２とを含む。ここで、端末１１とネットワーク側機器１２とは、通信可能である。
【００２２】
本開示の実施例において、端末１１は、ユーザ端末ＵＥ（Ｕｓｅｒ  Ｅｑｕｉｐｍｅｎｔ）とも呼ばれ、具体的に、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、携帯情報端末ＰＤＡ（Ｐｅｒｓｏｎａｌ  Ｄｉｇｉｔａｌ  Ａｓｓｉｓｔａｎｔ）、モバイルネットワーク機器ＭＩＤ（Ｍｏｂｉｌｅ  Ｉｎｔｅｒｎｅｔ  Ｄｅｖｉｃｅ）、ウェアラブルデバイス（Ｗｅａｒａｂｌｅ  Ｄｅｖｉｃｅ）又は車載機器などの端末側機器として実現される。なお、本開示の実施例において、端末１１の具体的な種類は、限定されない。
【００２３】
ネットワーク側機器１２は、基地局、リレー又はアクセスポイントなどである。基地局は、５Ｇ以降のバージョンの基地局（例えば、５Ｇ  ＮＲ  ＮＢ）、又は他の通信システムにおける基地局（例えば、ｅＮＢ（Ｅｖｏｌｕｔｉｏｎａｌ  Ｎｏｄｅ  Ｂ））である。なお、本開示の実施例において、ネットワーク側機器１２の具体的な種類を限定しない。
【００２４】
本開示の実施例に係る受信方法、送信方法、端末及びネットワーク側機器において、ネットワーク側機器は、ＰＤＣＣＨを送信する際に、異な時間に対応するＣＯＲＥＳＥＴを周波数領域でオフセットさせることによって、異なる時間に対応する前記ＣＯＲＥＳＥＴの周波数領域における位置が異なるようにし、又は、異なる時間に対応するＣＯＲＥＳＥＴの同一の探索空間を周波数領域でオフセットさせることによって、異なる時間に対応するＣＯＲＥＳＥＴに対応する探索空間の周波数領域における位置が異なるようにし、又は、ある時間のＣＯＲＥＳＥＴの少なくとも２つの探索空間を周波数領域でオフセットさせることによって、ＣＯＲＥＳＥＴ及び／又は探索空間が周波数領域で一定でなくなり、異なる周波数帯域に分布するようにして、ＰＤＣＣＨの送受信の即時性を高める。
【００２５】
図２に示すように、本開示の具体的な実施例に係る送信方法は、ネットワーク側機器に応用される方法であって、ＣＯＲＥＳＥＴに対応する探索空間で物理下り制御チャネルＰＤＣＣＨを送信するステップ２０１を含み、異なる時間に対応する前記ＣＯＲＥＳＥＴの周波数領域における位置が異なり、又は、異なる時間に対応するＣＯＲＥＳＥＴのうち、探索空間の周波数領域における位置が異なり、又は、前記ＣＯＲＥＳＥＴの少なくとも２つの探索空間の周波数領域における位置が異なる。
【００２６】
本開示の具体的な実施例において、ネットワーク側機器は、ＣＯＲＥＳＥＴに対応する探索空間で物理下り制御チャネルＰＤＣＣＨを送信する際に、異なる時間に対応するＣＯＲＥＳＥＴ、探索空間又は同一時間のＣＯＲＥＳＥＴ内の探索空間に対して周波数領域でのオフセット処理を多種類の方式で行うことによって、ＰＤＣＣＨ送信の即時性を高める。
【００２７】
ここで、本開示の具体的な実施例において、異なる時間に対応する前記ＣＯＲＥＳＥＴは、周波数領域における位置が異なるものの、同じＩＤを有し、端末について言えば、同じＣＯＲＥＳＥＴに属する。これらの同じＩＤを有するＣＯＲＥＳＥＴの周波数領域における関係は、ネットワーク側から配信されたパラメータや、プロトコルで予め定義されたパラメータに依存して決定される。
【００２８】
同様に、ＣＯＲＥＳＥＴに含まれる探索空間について、異なる時間に対応する前記ＣＯＲＥＳＥＴは、同じ数の探索空間を含み、且つ異なる時間に対応する前記ＣＯＲＥＳＥＴにおける各探索空間のＩＤも同じであり、端末について言えば同じ探索空間に属する。
【００２９】
即ち、本開示の具体的な実施例において、ＣＯＲＥＳＥＴの数を拡張する必要はなく、ＣＯＲＥＳＥＴ及び／又は探索空間の伝送リソースマッピング方式によってＰＤＣＣＨ送信の即時性を高める。
【００３０】
本開示の具体的な実施例において、異なる時間に対応する前記ＣＯＲＥＳＥＴの周波数領域における位置が異なることは、複数のケースを含む。例えば、図３に示すように、異なる時間に対応する前記ＣＯＲＥＳＥＴは、周波数領域における開始位置が異なるが、周波数領域である程度で重なる。図４に示すように、異なる時間に対応する前記ＣＯＲＥＳＥＴは、周波数領域における開始位置が異なり、且つ周波数領域で重ならない。
【００３１】
もちろん、異なる時間に対応する前記ＣＯＲＥＳＥＴの周波数領域における位置が異なることは、周波数領域における帯域幅を異にすることによって実現することもできる。
【００３２】
グラントフリー周波数帯域をサポートする端末について言えば、ＬＢＴ（Ｌｉｓｔｅｎ−ｂｅｆｏｒｅ−ｔａｌｋ）の方式でグラントフリースペクトルを有効に利用することができる。一般に、このチャネルビジー／アイドルの検出は、一定のサブバンド帯域幅（例えば２０ＭＨｚ）に基づいて行われ、送信側は、サブバンドのビジー／アイドル状態に基づいて、送信を行うか否かを決定する。
【００３３】
本開示の具体的な実施例の方法がグラントフリー周波数帯域の伝送技術と組み合わされる場合、端末側のより良い検出のために、図５に示されるように、異なる時間に対応するＣＯＲＥＳＥＴの周波数領域における開始位置が異なる場合、異なる時間に対応するＣＯＲＥＳＥＴが占有する周波数領域リソースは、異なるチャネル検出サブバンドに分布する。
【００３４】
別の方式では、異なる時間に対応するＣＯＲＥＳＥＴのうち、探索空間の周波数領域における位置が異なる。このような占有位置の相違も異なる方式を有する。例えば、図６に示すように、異なる時間に対応する少なくとも２つの探索空間は、周波数領域における開始位置が異なるが、周波数領域ではある程度で重なる。図７に示すように、異なる時間に対応する少なくとも２つの探索空間は、周波数領域における開始位置が異なり、周波数領域で重ならない。
【００３５】
もちろん、このような占有位置の相違は、周波数領域で帯域幅を異ならせることでも実現可能である。
【００３６】
本開示の具体的な実施例の方法がグラントフリー周波数帯域の伝送技術と組み合わされる場合、端末側のより良い検出のために、図８に示されるように、異なる時間に対応する少なくとも２つの探索空間が占有する周波数領域リソースは、異なるチャネル検出サブバンド（例えば、２０Ｍ）に分布する。
【００３７】
更に別の方式では、前記ＣＯＲＥＳＥＴの少なくとも２つの探索空間の周波数領域における位置が異なる。これは、ＣＯＲＥＳＥＴを構成する探索空間の周波数領域における位置に注目する点で、上記２種類の方式と相違する。
【００３８】
このような占有位置の相違も異なる方式を有する。例えば、図９に示すように、ＣＯＲＥＳＥＴを構成する複数の探索空間は、周波数領域における開始位置が異なるが、周波数領域ではある程度で重なる。図１０に示すように、ＣＯＲＥＳＥＴを構成する複数の探索空間は、周波数領域における開始位置が異なり、且つ異なる時間に対応する前記ＣＯＲＥＳＥＴは、周波数領域で重ならない。
【００３９】
もちろん、このような占有位置の相違は、周波数領域で帯域幅を異ならせることでも実現可能である。
【００４０】
本開示の具体的な実施例の方法がグラントフリー周波数帯域の伝送技術と組み合わされる場合、端末側のより良い検出のために、図１１に示されるように、異なる時間に対応する２つの探索空間が占有する周波数領域リソースは、異なるチャネル検出サブバンドに分布する。
【００４１】
本開示の具体的な実施例において、ＣＯＲＥＳＥＴは、１つの探索空間のみを含んでもよく、２つ以上の探索空間を含んでもよい。
【００４２】
本開示の具体的な実施例では、異なる時間に対応する前記ＣＯＲＥＳＥＴの周波数領域における位置が異なる、又は、異なる時間に対応するＣＯＲＥＳＥＴのうち、探索空間の周波数領域における位置が異なることを保証するために、時間インデックス番号又はＣＯＲＥＳＥＴのインデックス番号又は探索空間のインデックス番号に基づいてＣＯＲＥＳＥＴ及び／又は探索空間に対して周波数領域における位置を決定する。
【００４３】
本開示の具体的な実施例において、ｉ（ｉ＝１，２，…Ｎ（Ｎは、ＣＯＲＥＳＥＴ内の探索空間の数である））番目の探索空間の周波数位置Ｌは、以下の式を用いて決定される。
Ｌｉ＝Ｔｉ＊ｍｏｄ（Ｓｉ，Ｐ）＋ｏｆｆｓｅｔｉ
ここで、Ｔｉは、ｉ番目の探索空間の周波数領域オフセット幅であり、Ｓｉは、前記時間の時間インデックス番号又はＣＯＲＥＳＥＴのインデックス番号又は探索空間のインデックス番号である。該時間インデックス番号は、スロット、サブフレーム、シンボルのインデックス番号である。Ｐは、周波数オフセット周期である。ｏｆｆｓｅｔｉは、ｉ番目の探索空間の周波数領域初期オフセットである。前記Ｍｏｄは、剰余演算である。
【００４４】
本開示の具体的な実施例において、前記ＣＯＲＥＳＥＴが少なくとも２つの探索空間を含む場合、上記の式に従って、以下のように４つのケースに分けることができる。
【００４５】
ケース１：前記少なくとも２つの探索空間のそれぞれに対応するＴｉ及びｏｆｆｓｅｔｉは、いずれも同じである。
この場合、ＣＯＲＥＳＥＴが２つの探索空間を含むことを例にとり、Ｔ１＝Ｔ２＝０、ｏｆｆｓｅｔ１＝ｏｆｆｓｅｔ２＝２０ＭＨｚとし、異なる時間に対応するＣＯＲＥＳＥＴにおいて、探索空間の周波数領域における位置が異なる様子は、図１２に示す。
この場合、ＣＯＲＥＳＥＴのオフセットは、探索空間のオフセットと同じになる。
【００４６】
ケース２：前記少なくとも２つの探索空間のそれぞれに対応するＴｉが同じであるが、ｏｆｆｓｅｔｉが異なる。
この場合、ＣＯＲＥＳＥＴが２つの探索空間を含むことを例にとり、Ｔ１＝Ｔ２＝０、ｏｆｆｓｅｔ１＝２０ＭＨｚ、ｏｆｆｓｅｔ２＝４０ＭＨｚの場合を例にとると、異なる時間に対応するＣＯＲＥＳＥＴにおいて、探索空間の周波数領域における位置が異なる様子は、図１３に示す。この場合、探索空間の周波数領域位置は、同期変動ではなくなることが分かる。
【００４７】
ケース３：前記少なくとも２つの探索空間のそれぞれ対応するＴｉが異なるが、ｏｆｆｓｅｔｉが同じである。
この場合、ＣＯＲＥＳＥＴが２つの探索空間を含むことを例にとり、Ｔ１＝０、Ｔ２＝２０ＭＨｚ、ｏｆｆｓｅｔ１＝ｏｆｆｓｅｔ２＝２０ＭＨｚの場合を例にとると、異なる時間に対応するＣＯＲＥＳＥＴにおいて、探索空間の周波数領域における位置が異なる様子は、図１４に示す。この場合、探索空間の周波数領域位置は、同期して変化することが分かる。
【００４８】
ケース４：前記少なくとも２つの探索空間のそれぞれに対応するＴｉとｏｆｆｓｅｔｉは、いずれも異なる。
この場合、ＣＯＲＥＳＥＴが２つの探索空間を含むことを例にとり、Ｔ１＝０、Ｔ２＝２０ＭＨｚ、ｏｆｆｓｅｔ１＝２０ＭＨｚ、ｏｆｆｓｅｔ２＝４０ＭＨｚの場合を例にとると、異なる時間に対応するＣＯＲＥＳＥＴにおいて、探索空間の周波数領域における位置が異なる様子は、図１５に示す。
【００４９】
本開示の具体的な実施例の方法によれば、端末が、異なる時間に、同一のＣＯＲＥＳＥＴに対応する探索空間において対応するＰＤＣＣＨを検出するとき、同一のＣＯＲＥＳＥＴの周波数領域における位置が異なる。又は、端末が、異なる時間に、同一の探索空間で対応するＰＤＣＣＨを検出するとき、同一の探索空間の周波数領域における位置が異なる。又は、端末が、あるＣＯＲＥＳＥＴの少なくとも２つの探索空間で対応するＰＤＣＣＨを検出するとき、該少なくとも２つの探索空間の周波数領域における位置が異なる。
【００５０】
図１６に示すように、従来技術では、ＣＯＲＥＳＥＴが最初のサブバンドに固定されていると仮定する。この場合、リソースが持続的に占有され、かつ隣接する２回のリソース占有間のリソースアイドル時間が非常に短いため、ＰＤＣＣＨが持続的に送信できない可能性がある。一方、本開示の具体的な実施例の方法によると、ＣＯＲＥＳＥＴ及び／又は探索空間が図１６のＡ、Ｂ、Ｃ及びＤ領域のいずれかにマッピングされ、ＰＤＣＣＨが送信されるので、ＰＤＣＣＨ伝送の即時性を高めることができる。
【００５１】
本開示の具体的な実施例において、異なる時間に対応する前記ＣＯＲＥＳＥＴの周波数領域における位置が異なり、又は、異なる時間に対応するＣＯＲＥＳＥＴのうち、探索空間の周波数領域における位置が異なる。ＣＯＲＥＳＥＴが占有するリソースが周波数領域で複数のサブバンドを跨る場合、ＣＯＲＥＳＥＴ全体は、一部のリソースが占有されているので、ＰＤＣＣＨを送信できないことになる可能性がある。
【００５２】
また図１６を例にとり、ＣＯＲＥＳＥＴが占有するリソースが、最も下の２つのサブバンドにかかわる場合、一方のサブバンドは、ＰＤＣＣＨを伝送するために利用可能なリソースを有するが、他方のサブバンドは、リソースが長時間占有されるため、ＰＤＣＣＨを伝送することができない。
【００５３】
本開示の具体的な実施例において、上記のような状況が生じる可能性を更に低減するために、リソースエレメントグループＲＥＧのバンドルサイズを更に拡張し、既存のプロトコルで規定された最大値（６）よりも大きく、例えば、１２、１８、２４などのパラメータに設定する。
【００５４】
ＰＤＣＣＨが１つのサブバンドにマッピングされることを保証するために、本開示の具体的な実施例において、前記ＣＯＲＥＳＥＴのリソースエレメントグループＲＥＧのバンドルサイズは、前記ＰＤＣＣＨの全ての探索空間に対応する全ての集約レベルの値のうちの最大値である第１値と、１つの制御チャネルエレメントＣＣＥに含まれるリソースエレメントグループＲＥＧの数である第２値との積である。
【００５５】
以下のように例示して説明すると、あるＣＯＲＥＳＥＴは、以下の３つの探索空間ＳＳ０、ＳＳ１及びＳＳ２を含み、各探索空間に対応する可能な集約レベルが以下である。
【００５６】
【表１】
2022501969.tif 000003
【００５７】
本開示の具体的な実施例の方法を用いると、第１値は、４であり、第２値は、既存のプロトコル仕様に従うと、６であるため、ＲＥＧのバンドルサイズは、２４である。この場合、ＰＤＣＣＨは、同一のサブバンドにマッピングされ、ＰＤＣＣＨ伝送の即時率が向上する。
【００５８】
本開示の具体的な実施例は、ネットワーク側機器に用いられる送信方法を更に提供し、図１７に示すように、ＣＯＲＥＳＥＴに対応する探索空間で物理下り制御チャネルＰＤＣＣＨを送信するステップ１７０１を含む。ここで、異なる時間に対応する前記ＣＯＲＥＳＥＴの周波数領域における位置が異なり、又は、異なる時間に対応するＣＯＲＥＳＥＴのうち、探索空間の周波数領域における位置が異なり、又は、前記ＣＯＲＥＳＥＴの少なくとも２つの探索空間の周波数領域における位置が異なる。
【００５９】
上記の送信方法において、異なる時間に対応する前記ＣＯＲＥＳＥＴの周波数領域における位置が異なる場合、異なる時間に対応するＣＯＲＥＳＥＴが占有する周波数領域リソースは、異なるチャネル検出サブバンドに分布し、又は、異なる時間に対応するＣＯＲＥＳＥＴのうち、探索空間の周波数領域における位置が異なる場合、異なる時間に対応するＣＯＲＥＳＥＴのうち、探索空間が占有する周波数領域リソースは、異なるチャネル検出サブバンドに分布し、又は、前記ＣＯＲＥＳＥＴの少なくとも２つの探索空間の周波数領域における位置が異なる場合、前記少なくとも２つの探索空間が占有する周波数領域リソースは、異なるチャネル検出サブバンドに分布する。
【００６０】
上記の送信方法において、前記ＣＯＲＥＳＥＴが少なくとも２つの探索空間を含む場合、前記少なくとも２つの探索空間の周波数領域初期オフセットは、同一又は異なる。
【００６１】
上記の送信方法において、異なる時間ユニットに対応する前記ＣＯＲＥＳＥＴのうち、前記少なくとも２つの探索空間の周波数領域オフセット幅は、同一又は異なる。
【００６２】
上記の送信方法において、前記ＣＯＲＥＳＥＴのリソースエレメントグループＲＥＧのバンドルサイズは、６よりも大きい。
【００６３】
上記の送信方法において、前記ＣＯＲＥＳＥＴのリソースエレメントグループＲＥＧのバンドルサイズは、前記ＰＤＣＣＨの全ての探索空間に対応する全ての集約レベルの値のうちの最大値である第１値と、１つの制御チャネルエレメントＣＣＥに含まれるリソースエレメントグループＲＥＧの数である第２値との積である。
【００６４】
本開示の具体的な実施例は、ネットワーク側機器に用いられる送信方法を更に提供し、図１８に示すように、ＣＯＲＥＳＥＴに対応する探索空間で物理下り制御チャネルＰＤＣＣＨを送信するステップ１８０１を含み、前記ＣＯＲＥＳＥＴのリソースエレメントグループＲＥＧのバンドルサイズが６よりも大きい。
【００６５】
上記の送信方法において、前記ＣＯＲＥＳＥＴのリソースエレメントグループＲＥＧのバンドルサイズは、前記ＰＤＣＣＨの全ての探索空間に対応する全ての集約レベルの値のうちの最大値である第１値と、１つの制御チャネルエレメントＣＣＥに含まれるリソースエレメントグループＲＥＧの数である第２値との積である。
【００６６】
本開示の具体的な実施例は、受信方法を更に提供し、図１９に示すように、ＣＯＲＥＳＥＴに対応する探索空間で物理下り制御チャネルＰＤＣＣＨを受信するステップ１９０１を含み、前記ＣＯＲＥＳＥＴのリソースエレメントグループＲＥＧのバンドルサイズが６よりも大きい。
【００６７】
上記の受信方法において、前記ＣＯＲＥＳＥＴのリソースエレメントグループＲＥＧのバンドルサイズは、前記ＰＤＣＣＨの全ての探索空間に対応する全ての集約レベルの値のうちの最大値である第１値と、１つの制御チャネルエレメントＣＣＥに含まれるリソースエレメントグループＲＥＧの数である第２値との積である。
【００６８】
図２０を参照する。図２０は、本開示の実施例に係る端末の構造図である。図２０に示すように、端末２０００は、ＣＯＲＥＳＥＴに対応する探索空間で物理下り制御チャネルＰＤＣＣＨを受信する受信モジュール２００１を含み、異なる時間に対応する前記ＣＯＲＥＳＥＴの周波数領域における位置が異なり、又は、異なる時間に対応するＣＯＲＥＳＥＴのうち、探索空間の周波数領域における位置が異なり、又は、前記ＣＯＲＥＳＥＴの少なくとも２つの探索空間の周波数領域における位置が異なる。
【００６９】
任意に、異なる時間に対応する前記ＣＯＲＥＳＥＴの周波数領域における位置が異なる場合、異なる時間に対応するＣＯＲＥＳＥＴが占有する周波数領域リソースは、異なるチャネル検出サブバンドに分布し、又は、異なる時間に対応するＣＯＲＥＳＥＴのうち、探索空間の周波数領域における位置が異なる場合、異なる時間に対応するＣＯＲＥＳＥＴのうち、探索空間が占有する周波数領域リソースは、異なるチャネル検出サブバンドに分布し、又は、前記ＣＯＲＥＳＥＴの少なくとも２つの探索空間の周波数領域における位置が異なる場合、前記少なくとも２つの探索空間が占有する周波数領域リソースは、異なるチャネル検出サブバンドに分布する。
【００７０】
任意に、前記ＣＯＲＥＳＥＴが少なくとも２つの探索空間を含む場合、前記少なくとも２つの探索空間の周波数領域初期オフセットは、同一又は異なる。
【００７１】
任意に、異なる時間ユニットに対応する前記ＣＯＲＥＳＥＴのうち、前記少なくとも２つの探索空間の周波数領域オフセット幅は、同一又は異なる。
【００７２】
任意に、前記ＣＯＲＥＳＥＴのリソースエレメントグループＲＥＧのバンドルサイズは、６よりも大きい。
【００７３】
任意に、前記ＣＯＲＥＳＥＴのリソースエレメントグループＲＥＧのバンドルサイズは、前記ＰＤＣＣＨの全ての探索空間に対応する全ての集約レベルの値のうちの最大値である第１値と、１つの制御チャネルエレメントＣＣＥに含まれるリソースエレメントグループＲＥＧの数である第２値との積である。
【００７４】
端末２０００は、上記方法実施例で端末によって実現される各プロセスを実現し、同じ効果を奏することができ、重複を避けるために、ここでは繰り返して記載しない。
【００７５】
図２１を参照し、図２１は、本開示に係る別の端末の構造図である。図２１に示すように、端末２１００は、ＣＯＲＥＳＥＴに対応する探索空間で物理下り制御チャネルＰＤＣＣＨを受信する受信モジュール２１０１を含み、前記ＣＯＲＥＳＥＴのリソースエレメントグループＲＥＧのバンドルサイズが６よりも大きい。
【００７６】
任意に、前記ＣＯＲＥＳＥＴのリソースエレメントグループＲＥＧのバンドルサイズは、前記ＰＤＣＣＨの全ての探索空間に対応する全ての集約レベルの値のうちの最大値である第１値と、１つの制御チャネルエレメントＣＣＥに含まれるリソースエレメントグループＲＥＧの数である第２値との積である。
【００７７】
端末２１００は、上記方法実施例で端末によって実現される各プロセスを実現し、同じ効果を奏することができ、重複を避けるために、ここでは繰り返して記載しない。
【００７８】
図２２を参照する。図２２は、本開示の実施例に係るネットワーク側機器の構造図である。図２２に示すように、ネットワーク側機器２２００は、ＣＯＲＥＳＥＴに対応する探索空間で物理下り制御チャネルＰＤＣＣＨを送信する送信モジュール２２０１を含み、異なる時間に対応する前記ＣＯＲＥＳＥＴの周波数領域における位置が異なり、又は、異なる時間に対応するＣＯＲＥＳＥＴのうち、探索空間の周波数領域における位置が異なり、又は、前記ＣＯＲＥＳＥＴの少なくとも２つの探索空間の周波数領域における位置が異なる。
【００７９】
任意に、異なる時間に対応する前記ＣＯＲＥＳＥＴの周波数領域における位置が異なる場合、異なる時間に対応するＣＯＲＥＳＥＴが占有する周波数領域リソースは、異なるチャネル検出サブバンドに分布し、又は、異なる時間に対応するＣＯＲＥＳＥＴのうち、探索空間の周波数領域における位置が異なる場合、異なる時間に対応するＣＯＲＥＳＥＴのうち、探索空間が占有する周波数領域リソースは、異なるチャネル検出サブバンドに分布し、又は、前記ＣＯＲＥＳＥＴの少なくとも２つの探索空間の周波数領域における位置が異なる場合、前記少なくとも２つの探索空間が占有する周波数領域リソースは、異なるチャネル検出サブバンドに分布する。
【００８０】
任意に、前記ＣＯＲＥＳＥＴが少なくとも２つの探索空間を含む場合、前記少なくとも２つの探索空間の周波数領域初期オフセットは、同一又は異なる。
【００８１】
任意に、異なる時間ユニットに対応する前記ＣＯＲＥＳＥＴのうち、前記少なくとも２つの探索空間の周波数領域オフセット幅は、同一又は異なる。
【００８２】
任意に、前記ＣＯＲＥＳＥＴのリソースエレメントグループＲＥＧのバンドルサイズは、６よりも大きい。
【００８３】
任意に、前記ＣＯＲＥＳＥＴのリソースエレメントグループＲＥＧのバンドルサイズは、前記ＰＤＣＣＨの全ての探索空間に対応する全ての集約レベルの値のうちの最大値である第１値と、１つの制御チャネルエレメントＣＣＥに含まれるリソースエレメントグループＲＥＧの数である第２値との積である。
【００８４】
ネットワーク側機器２２００は、上記方法実施例でネットワーク側機器によって実現される各プロセスを実現し、同じ効果を奏することができ、重複を避けるために、ここでは繰り返して記載しない。
【００８５】
図２３を参照する。図２３は、本開示の実施例に係る別のネットワーク側機器の構造図である。図２３に示すように、ネットワーク側機器２３００は、ＣＯＲＥＳＥＴに対応する探索空間で物理下り制御チャネルＰＤＣＣＨを送信する送信モジュール２３０１を含み、前記ＣＯＲＥＳＥＴのリソースエレメントグループＲＥＧのバンドルサイズが６よりも大きい。
【００８６】
任意に、前記ＣＯＲＥＳＥＴのリソースエレメントグループＲＥＧのバンドルサイズは、前記ＰＤＣＣＨの全ての探索空間に対応する全ての集約レベルの値のうちの最大値である第１値と、１つの制御チャネルエレメントＣＣＥに含まれるリソースエレメントグループＲＥＧの数である第２値との積である。
【００８７】
ネットワーク側機器２３００は、上記方法実施例でネットワーク側機器によって実現される各プロセスを実現し、同じ効果を奏することができ、重複を避けるために、ここでは繰り返して記載しない。
【００８８】
図２４は、本開示の各実施例を実現する端末のハードウェア構造図である。該端末２４００は、ラジオ周波数ユニット２４０１と、ネットワークモジュール２４０２と、音声出力ユニット２４０３と、入力ユニット２４０４と、センサ２４０５と、表示ユニット２４０６と、ユーザ入力ユニット２４０７と、インタフェースユニット２４０８と、メモリ２４０９と、プロセッサ２４１０と、電源２４１１などの構成要素を含むが、これらに限定されない。図２４に示される端末の構造は、端末を限定するものではなく、端末は、図示されるよりも多い又は少ない構成要素、又は特定の構成要素の組み合わせ、又は異なる構成要素の配置を含むことができることを、当業者は理解可能である。本開示の一部実施例において、端末は、携帯電話、タブレットパソコン、ノートパソコン、パームトップパソコン、車載端末、ウェアラブルデバイス及び歩数計などを含むが、それらに限定されない。
【００８９】
ここで、ラジオ周波数ユニット２４０１は、ＣＯＲＥＳＥＴに対応する探索空間で物理下り制御チャネルＰＤＣＣＨを受信する。異なる時間に対応する前記ＣＯＲＥＳＥＴの周波数領域における位置が異なり、又は、異なる時間に対応するＣＯＲＥＳＥＴのうち、探索空間の周波数領域における位置が異なり、又は、前記ＣＯＲＥＳＥＴの少なくとも２つの探索空間の周波数領域における位置が異なる。
【００９０】
本開示の具体的な実施例において、ネットワーク側機器は、ＣＯＲＥＳＥＴに対応する探索空間で物理下り制御チャネルＰＤＣＣＨを送信する際に、異なる時間に対応するＣＯＲＥＳＥＴ、探索空間又は同一時間のＣＯＲＥＳＥＴ内の探索空間に対して周波数領域でのオフセット処理を多種類の方式で行うことによって、ＰＤＣＣＨ送信の即時性を高めることができる。
【００９１】
任意に、異なる時間に対応する前記ＣＯＲＥＳＥＴの周波数領域における位置が異なる場合、異なる時間に対応するＣＯＲＥＳＥＴが占有する周波数領域リソースは、異なるチャネル検出サブバンドに分布し、又は、異なる時間に対応するＣＯＲＥＳＥＴのうち、探索空間の周波数領域における位置が異なる場合、異なる時間に対応するＣＯＲＥＳＥＴのうち、探索空間が占有する周波数領域リソースは、異なるチャネル検出サブバンドに分布し、又は、前記ＣＯＲＥＳＥＴの少なくとも２つの探索空間の周波数領域における位置が異なる場合、前記少なくとも２つの探索空間が占有する周波数領域リソースは、異なるチャネル検出サブバンドに分布する。
【００９２】
任意に、前記ＣＯＲＥＳＥＴが少なくとも２つの探索空間を含む場合、前記少なくとも２つの探索空間の周波数領域初期オフセットは、同一又は異なる。
【００９３】
任意に、異なる時間ユニットに対応する前記ＣＯＲＥＳＥＴのうち、前記少なくとも２つの探索空間の周波数領域オフセット幅は、同一又は異なる。
【００９４】
任意に、前記ＣＯＲＥＳＥＴのリソースエレメントグループＲＥＧのバンドルサイズは、６よりも大きい。
【００９５】
任意に、前記ＣＯＲＥＳＥＴのリソースエレメントグループＲＥＧのバンドルサイズは、前記ＰＤＣＣＨの全ての探索空間に対応する全ての集約レベルの値のうちの最大値である第１値と、１つの制御チャネルエレメントＣＣＥに含まれるリソースエレメントグループＲＥＧの数である第２値との積である。
【００９６】
なお、本開示の一部実施例において、ラジオ周波数ユニット２４０１は、情報の送受信又は通話中で信号の送受信に用いられ、具体的に、基地局から下りデータを受信した後、プロセッサ２４１０による処理に供し、また、上りデータを基地局に送信する。一般に、ラジオ周波数ユニット２４０１は、アンテナ、少なくとも１つの増幅器、トランシーバ、結合器、低雑音増幅器、デュプレクサなどを含むが、それらに限定されない。また、ラジオ周波数ユニット２４０１は、無線通信システムを介してネットワークや他の機器と通信を行うこともできる。
【００９７】
端末は、ネットワークモジュール２４０２を介して、電子メールの送受信、ウェブページの閲覧、ストリーミングメディアへのアクセスを支援するなど、無線ブロードバンドインターネットアクセスをユーザに提供する。
【００９８】
音声出力ユニット２４０３は、ラジオ周波数ユニット２４０１やネットワークモジュール２４０２が受信した音声データや、メモリ２４０９に記憶された音声データを音声信号に変換して音声として出力することができる。また、音声出力ユニット２４０３は、端末２４００が実行する特定の機能に関する音声（例えば、呼出信号着信音、メッセージ着信音等）を出力してもよい。音声出力ユニット２４０３は、スピーカ、ブザー及びレシーバなどを含む。
【００９９】
入力ユニット２４０４は、音声や映像の信号を受信することに用いられる。入力ユニット２４０４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）２４０４１と、マイク２４０４２とを含む。処理された画像フレームは、表示ユニット２４０６上に表示される。グラフィックスプロセッサ２４０４１で処理された画像フレームは、メモリ２４０９（又は他の記憶媒体）に記憶されるか、又はラジオ周波数ユニット２４０１又はネットワークモジュール２４０２を介して送信される。マイク２４０４２は、音声を受信し、音声データに加工することができる。処理された音声データは、電話通話モードの場合、ラジオ周波数ユニット２４０１を介して移動体通信基地局に送信可能な形式に変換して出力することができる。
【０１００】
端末２４００は、光センサ、モーションセンサ及び他のセンサのような少なくとも１つのセンサ２４０５を更に含む。具体的には、光センサは、周辺光センサ及び近接センサを含む。周辺光センサは、周辺光の明暗に応じて表示パネル２４０６１の輝度を調節し、近接センサは、端末２４００が耳に移動したときに表示パネル２４０６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（例えば、歩数計、ストローク）などに用いることができる。センサ２４０５は、指紋センサ、圧力センサ、虹彩センサ、分子センサ、ジャイロスコープ、気圧計、湿度計、温度計、赤外線センサなどを更に含むことができるが、ここでは枚挙しない。
【０１０１】
表示ユニット２４０６は、ユーザが入力した情報やユーザに提供した情報を表示するために用いられる。表示ユニット２４０６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル２４０６１を含んでもよい。
【０１０２】
ユーザ入力ユニット２４０７は、数字や文字情報の入力を受け付け、ユーザによる端末の設定や機能制御に関するキー信号の入力を行うことに用いられる。具体的に、ユーザ入力ユニット２４０７は、タッチパネル２４０７１と、その他の入力機器２４０７２とを含む。タッチパネル２４０７１は、タッチスクリーンとも呼ばれ、その上又は付近でのユーザのタッチ操作を取得可能である（例えばユーザが指やスタイラスなどの任意の適切な物体や付属部材を用いたタッチパネル２４０７１の上又はタッチパネル２４０７１の付近での操作）。タッチパネル２４０７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ２４１０に送り、プロセッサ２４１０からの命令を受信して実行する。なお、タッチパネル２４０７１は、抵抗膜式、静電容量式、赤外線、表面弾性波など、種々の方式を用いて実現することができる。ユーザ入力ユニット２４０７は、タッチパネル２４０７１の他に、他の入力機器２４０７２を含んでもよい。具体的に、他の入力機器２４０７２は、物理的なキーボード、機能キー（例えば、音量調節キー、スイッチキーなど）、トラックボール、マウス、レバーを含むが、ここでは枚挙しない。
【０１０３】
更に、タッチパネル２４０７１は、表示パネル２４０６１に重ねられる。タッチパネル２４０７１は、その上又はその近くでタッチ操作を検出すると、プロセッサ２４１０に送信して、タッチイベントのタイプを決定する。次いで、プロセッサ２４１０は、タッチイベントのタイプに応じて、対応する視覚的出力を表示パネル２４０６１に提供する。図２４では、タッチパネル２４０７１と表示パネル２４０６１は、独立した２つの部品として端末の入出力機能を実現するが、実施例によっては、タッチパネル２４０７１と表示パネル２４０６１を一体化して端末の入出力機能を実現することもでき、具体的にここでは限定しない。
【０１０４】
インタフェースユニット２４０８は、外部装置と端末２４００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インターフェースユニット２４０８は、外部装置から入力（例えば、データ情報、電力など）を受信し、受信した入力を端末２４００内の１つ以上の要素に伝送するために使用されてもよく、又は端末２４００と外部装置との間でデータを伝送するために使用されてもよい。
【０１０５】
メモリ２４０９は、ソフトウェアプログラム及び様々なデータを格納するために使用される。メモリ２４０９は、オペレーティングシステム、少なくとも１つの機能に必要なアプリケーション（例えば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ２４０９は、高速ランダムアクセスメモリを含んでもよく、少なくとも１つの磁気ディスク記憶装置、フラッシュメモリデバイス、又は他の揮発性固体記憶デバイスなどの不揮発性メモリを含んでもよい。
【０１０６】
プロセッサ２４１０は、端末の制御センタであり、各種インタフェースや回線を用いて端末全体の各部を接続し、メモリ２４０９に格納されたソフトウェアプログラム及び／又はモジュールを実行、メモリ２４０９に格納されたデータを呼び出して端末の各種機能及び処理データを実行し、端末全体の監視を行う。プロセッサ２４１０は、１つ以上の処理ユニットを含んでもよい。任意選択で、プロセッサ２４１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ２４１０に統合されなくてもよいことが理解される。
【０１０７】
端末２４００は、各構成要素に電力を供給するためのバッテリのような電源２４１１を更に含んでもよい。選択可能に、電源２４１１は、電源管理システムを介してプロセッサ２４１０に論理的に接続されてもよく、電源管理システムを介して充電、放電、及び消費電力管理などを管理する機能を実現してもよい。
【０１０８】
また、端末２４００は、図示しない機能モジュールを更に含んでもよく、ここでの説明は省略する。
【０１０９】
好ましく、本開示の実施例は、プロセッサ２４１０と、メモリ２４０９と、メモリ２４０９に格納されて前記プロセッサ２４１０で実行可能なコンピュータプログラムとを含む端末を更に提供し、該コンピュータプログラムがプロセッサ２４１０によって実行されると、上記受信方法の実施例における各プロセスが実現され、且つ同じ効果を奏することができ、重複を避けるために、ここでは繰り返して記載しない。
【０１１０】
本開示の実施例は、コンピュータプログラムが格納されているコンピュータ読み取り可能な記憶媒体を更に提供し、該コンピュータプログラムがプロセッサによって実行されると、上記受信方法の実施例における各プロセスが実現され、且つ同じ効果を奏することができ、重複を避けるために、ここでは繰り返して記載しない。ここで、前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【０１１１】
本開示の別の実施例に係る端末は、ラジオ周波数ユニット２４０１と、ネットワークモジュール２４０２と、音声出力ユニット２４０３と、入力ユニット２４０４と、センサ２４０５と、表示ユニット２４０６と、ユーザ入力ユニット２４０７と、インタフェースユニット２４０８と、メモリ２４０９と、プロセッサ２４１０と、電源２４１１などの構成要素を含む。ここで、ラジオ周波数ユニット２４０１は、ＣＯＲＥＳＥＴに対応する探索空間で物理下り制御チャネルＰＤＣＣＨを受信し、前記ＣＯＲＥＳＥＴのリソースエレメントグループＲＥＧのバンドルサイズが６よりも大きい。
【０１１２】
本開示の具体的な実施例において、この場合では、なるべくＰＤＣＣＨを同一のサブバンドにマッピングし、ＰＤＣＣＨ伝送の成功率を高めることができる。
【０１１３】
任意に、前記ＣＯＲＥＳＥＴのリソースエレメントグループＲＥＧのバンドルサイズは、前記ＰＤＣＣＨの全ての探索空間に対応する全ての集約レベルの値のうちの最大値である第１値と、１つの制御チャネルエレメントＣＣＥに含まれるリソースエレメントグループＲＥＧの数である第２値との積である。
【０１１４】
好ましくは、本開示の実施例は、プロセッサ２４１０と、メモリ２４０９と、メモリ２４０９に格納されて前記プロセッサ２４１０で実行可能なコンピュータプログラムとを含む端末を更に提供し、該コンピュータプログラムがプロセッサ２４１０によって実行されると、上記受信方法の実施例における各プロセスが実現され、且つ同じ効果を奏することができ、重複を避けるために、ここでは繰り返して記載しない。
【０１１５】
本開示の実施例は、コンピュータプログラムが格納されているコンピュータ読み取り可能な記憶媒体を更に提供し、該コンピュータプログラムがプロセッサによって実行されると、上記受信方法の実施例における各プロセスが実現され、且つ同じ効果を奏することができ、重複を避けるために、ここでは繰り返して記載しない。ここで、前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【０１１６】
図２５を参照する。図２５は、本開示の実施例に係るネットワーク側機器の構造図である。図２５に示すように、該ネットワーク側機器２５００は、プロセッサ２５０１と、トランシーバ２５０２と、メモリ２５０３と、バスインタフェースを含む。ここで、トランシーバ２５０２は、ＣＯＲＥＳＥＴに対応する探索空間で物理下り制御チャネルＰＤＣＣＨを送信する。異なる時間に対応する前記ＣＯＲＥＳＥＴの周波数領域における位置が異なり、又は、異なる時間に対応するＣＯＲＥＳＥＴのうち、探索空間の周波数領域における位置が異なり、又は、前記ＣＯＲＥＳＥＴの少なくとも２つの探索空間の周波数領域における位置が異なる。
【０１１７】
任意に、異なる時間に対応する前記ＣＯＲＥＳＥＴの周波数領域における位置が異なる場合、異なる時間に対応するＣＯＲＥＳＥＴが占有する周波数領域リソースは、異なるチャネル検出サブバンドに分布し、又は、異なる時間に対応するＣＯＲＥＳＥＴのうち、探索空間の周波数領域における位置が異なる場合、異なる時間に対応するＣＯＲＥＳＥＴのうち、探索空間が占有する周波数領域リソースは、異なるチャネル検出サブバンドに分布し、又は、前記ＣＯＲＥＳＥＴの少なくとも２つの探索空間の周波数領域における位置が異なる場合、前記少なくとも２つの探索空間が占有する周波数領域リソースは、異なるチャネル検出サブバンドに分布する。
【０１１８】
任意に、前記ＣＯＲＥＳＥＴが少なくとも２つの探索空間を含む場合、前記少なくとも２つの探索空間の周波数領域初期オフセットは、同一又は異なる。
【０１１９】
任意に、異なる時間ユニットに対応する前記ＣＯＲＥＳＥＴのうち、前記少なくとも２つの探索空間の周波数領域オフセット幅は、同一又は異なる。
【０１２０】
任意に、前記ＣＯＲＥＳＥＴのリソースエレメントグループＲＥＧのバンドルサイズは、６よりも大きい。
【０１２１】
任意に、前記ＣＯＲＥＳＥＴのリソースエレメントグループＲＥＧのバンドルサイズは、前記ＰＤＣＣＨの全ての探索空間に対応する全ての集約レベルの値のうちの最大値である第１値と、１つの制御チャネルエレメントＣＣＥに含まれるリソースエレメントグループＲＥＧの数である第２値との積である。
【０１２２】
図２５において、バスアーキテクチャは、任意数の相互接続するバスとブリッジを含み、具体的に、プロセッサ２５０１をはじめとする１つ又は複数のプロセッサとメモリ２５０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ２５０２は、複数の部品であってもよく、即ち送信機と受信機を含み、伝送媒体でほかの各種類の装置と通信するユニットとして提供される。ユーザ端末によっては、ユーザインターフェース２５０４は、内部接続や外部接続する機器のインタフェースであってもよい。接続する機器は、キーパッド、ディスプレイ、スピーカ、マイクロフォン、ジョイスティックなどを含むが、それらに限られない。
【０１２３】
プロセッサ２５０１は、バスアーキテクチャと通常の処理を管理する。メモリ２５０３は、プロセッサ２５０１による操作実行に使用されるデータを記憶できる。
【０１２４】
なお、本開示における上記ネットワーク側機器２５００は、本開示の実施例に係る方法実施例における任意の実施形態のネットワーク側機器であり、本開示の実施例に係る方法実施例におけるネットワーク側機器の任意の実施形態は、本実施例における上記ネットワーク側機器２５００によって実現し、同じ効果を奏することができ、ここでは繰り返して記載しない。
【０１２５】
本開示の実施例は、コンピュータプログラムが格納されているコンピュータ読み取り可能な記憶媒体を更に提供し、該コンピュータプログラムがプロセッサによって実行されると、上記ネットワーク側機器に対応する送信方法の実施例における各プロセスが実現され、且つ同じ効果を奏することができ、重複を避けるために、ここでは繰り返して記載しない。ここで、前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【０１２６】
本開示の別の実施例に係るネットワーク側機器は、プロセッサ２５０１と、トランシーバ２５０２と、メモリ２５０３と、バスインタフェースを含む。ここで、トランシーバ２５０２は、ＣＯＲＥＳＥＴに対応する探索空間で物理下り制御チャネルＰＤＣＣＨを送信し、前記ＣＯＲＥＳＥＴのリソースエレメントグループＲＥＧのバンドルサイズが６よりも大きい。
【０１２７】
任意に、前記ＣＯＲＥＳＥＴのリソースエレメントグループＲＥＧのバンドルサイズは、前記ＰＤＣＣＨの全ての探索空間に対応する全ての集約レベルの値のうちの最大値である第１値と、１つの制御チャネルエレメントＣＣＥに含まれるリソースエレメントグループＲＥＧの数である第２値との積である。
【０１２８】
本開示の実施例は、コンピュータプログラムが格納されているコンピュータ読み取り可能な記憶媒体を更に提供し、該コンピュータプログラムがプロセッサによって実行されると、上記ネットワーク側機器に対応する送信方法の実施例における各プロセスが実現され、且つ同じ効果を奏することができ、重複を避けるために、ここでは繰り返して記載しない。ここで、前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【０１２９】
なお、本明細書において、「含む」や「含有する」又はそれ以外のあらゆる変形用語は、非排他的に含むことを意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。特に限定されない限り、「…を１つ含む」の表現によって限定される要素について、当該要素を含むプロセス、方法、モノ又は装置に他の同一要素の存在を除外しない。
【０１３０】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（例えばＲＯＭ／ＲＡＭ、磁気ディスク、光ディスク）に記憶され、本開示の各実施例の方法を１台の端末（携帯電話、コンピュータ、サーバー、空調機又はネットワークデバイスなど）に実行させるいくつかの指令を含む。
【０１３１】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、全て本開示の保護範囲に含まれる。
【図１】
2022501969.tif 000004
【図２】
2022501969.tif 000005
【図３】
2022501969.tif 000006
【図４】
2022501969.tif 000007
【図５】
2022501969.tif 000008
【図６】
2022501969.tif 000009
【図７】
2022501969.tif 000010
【図８】
2022501969.tif 000011
【図９】
2022501969.tif 000012
【図１０】
2022501969.tif 000013
【図１１】
2022501969.tif 000014
【図１２】
2022501969.tif 000015
【図１３】
2022501969.tif 000016
【図１４】
2022501969.tif 000017
【図１５】
2022501969.tif 000018
【図１６】
2022501969.tif 000019
【図１７】
2022501969.tif 000020
【図１８】
2022501969.tif 000021
【図１９】
2022501969.tif 000022
【図２０】
2022501969.tif 000023
【図２１】
2022501969.tif 000024
【図２２】
2022501969.tif 000025
【図２３】
2022501969.tif 000026
【図２４】
2022501969.tif 000027
【図２５】
2022501969.tif 000028
【手続補正書】
【提出日】令和3年3月30日(2021.3.30)
【手続補正１】
【補正対象書類名】特許請求の範囲
【補正対象項目名】全文
【補正方法】変更
【補正の内容】
【特許請求の範囲】
【請求項１】
端末に用いられる受信方法であって、
制御リソースセットＣＯＲＥＳＥＴに対応する探索空間で物理下り制御チャネルＰＤＣＣＨを受信することを含み、
異なる時間に対応する前記ＣＯＲＥＳＥＴの周波数領域における位置が異なり、又は、異なる時間に対応するＣＯＲＥＳＥＴのうち、探索空間の周波数領域における位置が異なり、又は、前記ＣＯＲＥＳＥＴの少なくとも２つの探索空間の周波数領域における位置が異なる、受信方法。
【請求項２】
異なる時間に対応する前記ＣＯＲＥＳＥＴの周波数領域における位置が異なる場合、異なる時間に対応するＣＯＲＥＳＥＴが占有する周波数領域リソースは、異なるチャネル検出サブバンドに分布し、
又は、
異なる時間に対応するＣＯＲＥＳＥＴのうち、探索空間の周波数領域における位置が異なる場合、異なる時間に対応するＣＯＲＥＳＥＴのうち、探索空間が占有する周波数領域リソースは、異なるチャネル検出サブバンドに分布し、
又は、前記ＣＯＲＥＳＥＴの少なくとも２つの探索空間の周波数領域における位置が異なる場合、前記少なくとも２つの探索空間が占有する周波数領域リソースは、異なるチャネル検出サブバンドに分布する、請求項１に記載の受信方法。
【請求項３】
前記ＣＯＲＥＳＥＴが少なくとも２つの探索空間を含む場合、前記少なくとも２つの探索空間の周波数領域初期オフセットは、同一又は異なる、請求項１又は２に記載の受信方法。
【請求項４】
異なる時間ユニットに対応する前記ＣＯＲＥＳＥＴのうち、前記少なくとも２つの探索空間の周波数領域オフセット幅は、同一又は異なる、請求項３に記載の受信方法。
【請求項５】
前記ＣＯＲＥＳＥＴのリソースエレメントグループＲＥＧのバンドルサイズは、６よりも大きい、請求項１に記載の受信方法。
【請求項６】
前記ＣＯＲＥＳＥＴのリソースエレメントグループＲＥＧのバンドルサイズは、前記ＰＤＣＣＨの全ての探索空間に対応する全ての集約レベルの値のうちの最大値である第１値と、１つの制御チャネルエレメントＣＣＥに含まれるリソースエレメントグループＲＥＧの数である第２値との積である、請求項５に記載の受信方法。
【請求項７】
ネットワーク側機器に用いられる送信方法であって、
制御リソースセットＣＯＲＥＳＥＴに対応する探索空間で物理下り制御チャネルＰＤＣＣＨを送信することを含み、
異なる時間に対応する前記ＣＯＲＥＳＥＴの周波数領域における位置が異なり、又は、異なる時間に対応するＣＯＲＥＳＥＴのうち、探索空間の周波数領域における位置が異なり、又は、前記ＣＯＲＥＳＥＴの少なくとも２つの探索空間の周波数領域における位置が異なる、送信方法。
【請求項８】
異なる時間に対応する前記ＣＯＲＥＳＥＴの周波数領域における位置が異なる場合、異なる時間に対応するＣＯＲＥＳＥＴが占有する周波数領域リソースは、異なるチャネル検出サブバンドに分布し、
又は、
異なる時間に対応するＣＯＲＥＳＥＴのうち、探索空間の周波数領域における位置が異なる場合、異なる時間に対応するＣＯＲＥＳＥＴのうち、探索空間が占有する周波数領域リソースは、異なるチャネル検出サブバンドに分布し、
又は、
前記ＣＯＲＥＳＥＴの少なくとも２つの探索空間の周波数領域における位置が異なる場合、前記少なくとも２つの探索空間が占有する周波数領域リソースは、異なるチャネル検出サブバンドに分布する、請求項７に記載の送信方法。
【請求項９】
前記ＣＯＲＥＳＥＴが少なくとも２つの探索空間を含む場合、前記少なくとも２つの探索空間の周波数領域初期オフセットは、同一又は異なる、請求項７又は８に記載の送信方法。
【請求項１０】
異なる時間ユニットに対応する前記ＣＯＲＥＳＥＴのうち、前記少なくとも２つの探索空間の周波数領域オフセット幅は、同一又は異なる、請求項９に記載の送信方法。
【請求項１１】
前記ＣＯＲＥＳＥＴのリソースエレメントグループＲＥＧのバンドルサイズは、６よりも大きい、請求項７に記載の送信方法。
【請求項１２】
前記ＣＯＲＥＳＥＴのリソースエレメントグループＲＥＧのバンドルサイズは、前記ＰＤＣＣＨの全ての探索空間に対応する全ての集約レベルの値のうちの最大値である第１値と、１つの制御チャネルエレメントＣＣＥに含まれるリソースエレメントグループＲＥＧの数である第２値との積である、請求項１１に記載の送信方法。
【請求項１３】
ＣＯＲＥＳＥＴに対応する探索空間で物理下り制御チャネルＰＤＣＣＨを受信する受信モジュールを含み、
異なる時間に対応する前記ＣＯＲＥＳＥＴの周波数領域における位置が異なり、又は、異なる時間に対応するＣＯＲＥＳＥＴのうち、探索空間の周波数領域における位置が異なり、又は、前記ＣＯＲＥＳＥＴの少なくとも２つの探索空間の周波数領域における位置が異なる、端末。
【請求項１４】
ＣＯＲＥＳＥＴに対応する探索空間で物理下り制御チャネルＰＤＣＣＨを送信する送信モジュールを含み、
異なる時間に対応する前記ＣＯＲＥＳＥＴの周波数領域における位置が異なり、又は、異なる時間に対応するＣＯＲＥＳＥＴのうち、探索空間の周波数領域における位置が異なり、又は、前記ＣＯＲＥＳＥＴの少なくとも２つの探索空間の周波数領域における位置が異なる、ネットワーク側機器。
【請求項１５】
コンピュータプログラムが格納されているコンピュータ読み取り可能な記憶媒体であって、
前記コンピュータプログラムがプロセッサによって実行されると、請求項１〜６のいずれか１項に記載の受信方法のステップが実現され、又は、請求項７〜１２のいずれか１項に記載の送信方法のステップが実現される、コンピュータ読み取り可能な記憶媒体。
【手続補正２】
【補正対象書類名】明細書
【補正対象項目名】００１８
【補正方法】変更
【補正の内容】
【００１８】
【図１】本開示の実施例の応用可能なネットワークシステムの構造図である。
【図２】本開示の実施例に係る送信方法のフローチャートである。
【図３】本開示の具体的な実施例において、異なる時間に対応するＣＯＲＥＳＥＴの周波数領域における位置が異なる概略図である。
【図４】本開示の具体的な実施例において、異なる時間に対応するＣＯＲＥＳＥＴの周波数領域における位置が異なる別の概略図である。
【図５】本開示の具体的な実施例において、異なる時間に対応するＣＯＲＥＳＥＴの周波数領域における位置が異なる更に別の概略図である。
【図６】本開示の具体的な実施例において、異なる時間に対応するＣＯＲＥＳＥＴのうち、探索空間の周波数領域における位置が異なる概略図である。
【図７】本開示の具体的な実施例において、異なる時間に対応するＣＯＲＥＳＥＴのうち、探索空間の周波数領域における位置が異なる別の概略図である。
【図８】本開示の具体的な実施例において、異なる時間に対応するＣＯＲＥＳＥＴのうち、探索空間の周波数領域における位置が異なる更に別の概略図である。
【図９】本開示の具体的な実施例において、ＣＯＲＥＳＥＴの少なくとも２つの探索空間の周波数領域における位置が異なる概略図である。
【図１０】本開示の具体的な実施例において、ＣＯＲＥＳＥＴの少なくとも２つの探索空間の周波数領域における位置が異なる別の概略図である。
【図１１】本開示の具体的な実施例において、ＣＯＲＥＳＥＴの少なくとも２つの探索空間の周波数領域における位置が異なる更に別の概略図である。
【図１２】本開示の具体的な実施例において、Ｔｉ及びｏｆｆｓｅｔｉがいずれも同じである場合、ＣＯＲＥＳＥＴの少なくとも２つの探索空間の周波数領域における位置が異なる概略図である。
【図１３】本開示の具体的な実施例において、Ｔｉが異なり、ｏｆｆｓｅｔｉが同じである場合、ＣＯＲＥＳＥＴの少なくとも２つの探索空間の周波数領域における位置が異なる概略図である。
【図１４】本開示の具体的な実施例において、Ｔｉが同じであり、ｏｆｆｓｅｔｉが異なる場合、ＣＯＲＥＳＥＴの少なくとも２つの探索空間の周波数領域における位置が異なる概略図である。
【図１５】本開示の具体的な実施例において、Ｔｉ及びｏｆｆｓｅｔｉがいずれも異なる場合、ＣＯＲＥＳＥＴの少なくとも２つの探索空間の周波数領域における位置が異なる概略図である。
【図１６】本開示の具体的な実施例において、ある周波数帯域でＰＤＣＣＨの伝送ができない場合、ＣＯＲＥＳＥＴ／探索空間のマッピング可能な位置の概略図である。
【図１７】本開示の実施例に係る受信方法のフローチャートである。
【図１８】本開示の実施例に係る別の送信方法のフローチャートである。
【図１９】本開示の実施例に係る別の受信方法のフローチャートである。
【図２０】本開示の実施例に係る端末の構造図その１である。
【図２１】本開示の実施例に係る端末の構造図その２である。
【図２２】本開示の実施例に係るネットワーク側機器の構造図その１である。
【図２３】本開示の実施例に係るネットワーク側機器の構造図その２である。
【図２４】本開示の実施例に係る端末の構造図その３である。
【図２５】本開示の実施例に係るネットワーク側機器の構造図その３である。
【国際調査報告】
2022501969.tif 000029
2022501969.tif 000030
2022501969.tif 000031
2022501969.tif 000032